(57)【特許請求の範囲】
【請求項１】
電極が形成された実装基板の前記電極形成面の裏面を吸着して前記実装基板を保持するボンディングステージと
バンプが形成された半導体チップの前記バンプ形成面の裏面を吸着して、前記実装基板の前記電極形成面と前記半導体チップの前記バンプ形成面とが対向するように前記半導体チップを保持し、前記実装基板に対して前記半導体チップを位置合わせして前記半導体チップを前記実装基板に近づけ、前記バンプと前記電極とを接触させて前記半導体チップを押圧し、前記半導体チップに振動を印加するボンディングツールと
を有し、
前記ボンディングツールの吸着面に前記半導体チップの裏面と同一形状のツール凹部底面を有するツール凹部が設けられており、前記ツール凹部の側面が、前記底面に近づくにつれて前記ツール凹部の開口面積が狭まるテーパ状に形成されており、前記ボンディングツールは前記半導体チップの裏面と前記ツール凹部底面とが接するように吸着して保持する
半導体チップのボンディング装置。
【請求項２】
前記ボンディングツールが、前記バンプと前記電極をスクラブして少なくとも前記バンプ及び前記電極のいずれかの表面に形成された酸化膜を破るように、前記半導体チップに振動を印加する
請求項１に記載の半導体チップのボンディング装置。
【請求項３】
前記ボンディングツールが、前記バンプと前記電極を超音波接合するように、前記半導体チップに超音波振動を印加する
請求項１に記載の半導体チップのボンディング装置。
【請求項４】
前記ボンディングステージの吸着面に前記実装基板の裏面と同一形状のステージ凹部底面を有するステージ凹部が設けられており、前記ボンディングステージは前記実装基板の裏面と前記ステージ凹部底面とが接するように吸着して保持する
請求項１〜３のいずれかに記載の半導体チップのボンディング装置。
【請求項５】
前記ステージ凹部の側面が、前記底面に近づくにつれて前記ステージ凹部の開口面積が狭まるテーパ状に形成されている
請求項４に記載の半導体チップのボンディング装置。
【請求項６】
電極が形成された実装基板の前記電極形成面の裏面を、ボンディングステージで吸着して保持する工程と、
バンプが形成された半導体チップの前記バンプ形成面の裏面を、前記半導体チップの裏面と同一形状のツール凹部底面を有するツール凹部が設けられ、前記ツール凹部の側面が前記底面に近づくにつれて前記ツール凹部の開口面積が狭まるテーパ状に形成されているボンディングツールで、前記半導体チップの裏面が前記ツール凹部底面に接するように吸着して、前記実装基板の前記電極形成面と前記半導体チップの前記バンプ形成面とが対向するように前記半導体チップを保持する工程と、
前記ボンディングツールで、前記実装基板に対して前記半導体チップを位置合わせして前記半導体チップを前記実装基板に近づけ、前記バンプと前記電極とを接触させて前記半導体チップを押圧する工程と、
前記ボンディングツールで、前記半導体チップに振動を印加する工程と
を有する半導体チップのボンディング方法。
【請求項７】
前記半導体チップに振動を印加する工程において、前記ボンディングツールが、前記バンプと前記電極をスクラブして少なくとも前記バンプ及び前記電極のいずれかの表面に形成された酸化膜を破るように、前記半導体チップに振動を印加する
請求項６に記載の半導体チップのボンディング方法。
【請求項８】
前記半導体チップに振動を印加する工程において、前記ボンディングツールが、前記バンプと前記電極を超音波接合するように、前記半導体チップに超音波振動を印加する
請求項６に記載の半導体チップのボンディング方法。
【請求項９】
前記ボンディングステージとして、吸着面に前記実装基板の裏面と同一形状のステージ凹部底面を有するステージ凹部が設けられているボンディングステージを用い、
前記電極形成面の裏面をボンディングステージで吸着して保持する工程において、前記ボンディングステージで前記実装基板の裏面と前記ステージ凹部底面とが接するように吸着して保持する
請求項６〜８のいずれかに記載の半導体チップのボンディング方法。
【請求項１０】
前記ボンディングステージとして、前記ステージ凹部の側面が前記底面に近づくにつれて前記ステージ凹部の開口面積が狭まるテーパ状に形成されているボンディングステージを用いる
請求項９に記載の半導体チップのボンディング方法。
【発明の詳細な説明】
【技術分野】
【０００１】
本発明は、半導体チップのボンディング装置及びボンディング方法に関し、特に、半導体チップを他の半導体チップなどの実装基板にフリップチップでマウントしてボンディングするボンディング装置及びボンディング方法に関する。
【背景技術】
【０００２】
デジタルビデオカメラ、デジタル携帯電話、あるいはノートパソコンなど、携帯用電子機器の小型化、薄型化、軽量化に対する要求は強くなる一方であり、これに応えるために近年のＶＬＳＩなどの半導体装置においては３年で７割の縮小化を実現してきた一方で、このような半導体装置をプリント配線基板上に実装した電子回路装置としても、実装基板（プリント配線基板）上の部品実装密度をいかに向上させるかが重要な課題として研究および開発がなされてきた。
【０００３】
例えば、半導体装置の実装用のパッケージ形態としては、ＤＩＰ（Dual Inline Package ）などのリード挿入型から表面実装型へと移行し、さらには半導体チップのパッド電極にハンダや金などからなるバンプ（突起電極）を設け、フェースダウンでバンプを介して配線基板に接続するフリップチップ実装法が開発された。
【０００４】
例えば、φ３０μｍ以下程度の微細バンプを上下に有する場合のフリップチップボンディングは、特許文献１などに記載されているように、ボンダーステージに吸着した下バンプ付きチップ（あるいはバンプ付き実装基板）に、ボンディングツールに吸着した上バンプ付きチップを対向させ、バンプ同士を位置合わせした後、ボンディングツールを下げ、バンプ同士を接触させて下バンプ付きチップに上バンプ付きチップをマウントした後、加圧加熱してバンプ同士のボンディングを行う。このようなボンディングをローカルリフローボンディングと称する。
【０００５】
上記のバンプ同士を接触させる際に、ボンディングツールで上バンプ付チップをスクラブすることでバンプ表面の酸化膜を破って接触させ、リフロー時にフラックスなしでも接合させることができる。
あるいは、ボンディングツールにより上バンプ付チップに超音波振動を印加することで、超音波接合によりバンプ同士を接合することができる。
【０００６】
上記のボンディングにおいて、下バンプ付チップのバンプと上バンプ付チップのバンプを位置合わせする場合、まず、バンプ同士の粗い位置合わせを行ってから、続けて微調整を行い、所定の範囲内に位置合わせを行う。
上記のバンプ同士の位置合わせにおいて、所定の範囲内に位置合わせができていない場合、バンプの接続不良が発生したり、チップ間のギャップを所定の値にすることが困難となってしまうので、十分な精度でバンプ同士の位置合わせを行う必要があり、粗い位置合わせについても十分な精度が求められている。
【０００７】
しかし実際には上記の位置合わせにおいて、ボンダーステージやボンディングツールが上下のバンプ付チップを吸着する位置にバラツキがあるため、粗い位置合わせに時間がかかってしまい、ボンディング工程時間が長くなると言う不利益を有していた。
【０００８】
ところで、インタポーザにチップを超音波接合する場合において、設定振幅が３μｍであっても、超音波を印加するツールとインタポーザの実際の相対振幅が０．１μｍ程度、ツールとチップの相対振幅が０．３１３〜０．５５７μｍ程度であり、実際の振幅が設定の振幅に到達していないことが報告されている（非特許文献１参照）。
【特許文献１】特開２０００−３４９１２３号公報
【非特許文献１】高橋健司、「ＣＯＣの電極接続技術」、エレクトロニクス実装学会誌、ｖｏｌ．７、ｎｏ．２、ＭＡＲ．  ２００４、ｐ．１１６−１２２
【発明の開示】
【発明が解決しようとする課題】
【０００９】
本発明が解決しようとする問題は、半導体チップを他の半導体チップなどの実装基板にフリップチップでマウントしてボンディングする際に、半導体チップのバンプと実装基板のバンプなどの電極の粗い位置合わせに時間がかかってしまうことである。
【課題を解決するための手段】
【００１０】
上記の課題を解決するため、本発明のボンディング装置は、電極が形成された実装基板の前記電極形成面の裏面を吸着して前記実装基板を保持するボンディングステージと、バンプが形成された半導体チップの前記バンプ形成面の裏面を吸着して、前記実装基板の前記電極形成面と前記半導体チップの前記バンプ形成面とが対向するように前記半導体チップを保持し、前記実装基板に対して前記半導体チップを位置合わせして前記半導体チップを前記実装基板に近づけ、前記バンプと前記電極とを接触させて前記半導体チップを押圧し、前記半導体チップに振動を印加するボンディングツールとを有し、前記ボンディングツールの吸着面に前記半導体チップの裏面と同一形状のツール凹部底面を有するツール凹部が設けられており、前記ボンディングツールは前記半導体チップの裏面と前記ツール凹部底面とが接するように吸着して保持する。
【００１１】
上記の本発明のボンディング装置は、ボンディングステージとボンディングツールを有する。
ボンディングステージは、電極が形成された実装基板の電極形成面の裏面を吸着して前記実装基板を保持する。
ボンディングツールは、バンプが形成された半導体チップのバンプ形成面の裏面を吸着して、実装基板の電極形成面と半導体チップのバンプ形成面とが対向するように半導体チップを保持し、実装基板に対して半導体チップを位置合わせして半導体チップを実装基板に近づけ、バンプと電極とを接触させて半導体チップを押圧し、半導体チップに振動を印加する。
ここで、ボンディングツールの吸着面に半導体チップの裏面と同一形状のツール凹部底面を有するツール凹部が設けられており、ボンディングツールは、半導体チップの裏面とツール凹部底面とが接するように吸着して保持する。
【００１２】
また、上記の課題を解決するため、本発明のボンディング装置は、電極が形成された実装基板の前記電極形成面の裏面を吸着して前記実装基板を保持するボンディングステージとバンプが形成された半導体チップの前記バンプ形成面の裏面を吸着して、前記実装基板の前記電極形成面と前記半導体チップの前記バンプ形成面とが対向するように前記半導体チップを保持し、前記実装基板に対して前記半導体チップを位置合わせして前記半導体チップを前記実装基板に近づけ、前記バンプと前記電極とを接触させて前記半導体チップを押圧し、前記半導体チップに振動を印加するボンディングツールとを有し、前記ボンディングステージの吸着面に前記実装基板の裏面と同一形状のステージ凹部底面を有するステージ凹部が設けられており、前記ボンディングステージは前記実装基板の裏面と前記ステージ凹部底面とが接するように吸着して保持する。
【００１３】
上記の本発明のボンディング装置は、ボンディングステージとボンディングツールを有する。ボンディングステージとボンディングツールは上記と同様の構成である。
但し、ボンディングステージの吸着面に実装基板の裏面と同一形状のステージ凹部底面を有するステージ凹部が設けられており、ボンディングステージは、実装基板の裏面とステージ凹部底面とが接するように吸着して保持する。
【００１４】
また、上記の課題を解決するため、本発明のボンディング方法は、電極が形成された実装基板の前記電極形成面の裏面を、ボンディングステージで吸着して保持する工程と、バンプが形成された半導体チップの前記バンプ形成面の裏面を、前記半導体チップの裏面と同一形状のツール凹部底面を有するツール凹部が設けられたボンディングツールで、前記半導体チップの裏面が前記ツール凹部底面に接するように吸着して、前記実装基板の前記電極形成面と前記半導体チップの前記バンプ形成面とが対向するように前記半導体チップを保持する工程と、前記ボンディングツールで、前記実装基板に対して前記半導体チップを位置合わせして前記半導体チップを前記実装基板に近づけ、前記バンプと前記電極とを接触させて前記半導体チップを押圧する工程と、前記ボンディングツールで、前記半導体チップに振動を印加する工程とを有する。
【００１５】
上記の本発明のボンディング方法は、まず、電極が形成された実装基板の電極形成面の裏面を、ボンディングステージで吸着して保持する。
一方、バンプが形成された半導体チップのバンプ形成面の裏面を、半導体チップの裏面と同一形状のツール凹部底面を有するツール凹部が設けられたボンディングツールで、半導体チップの裏面がツール凹部底面に接するように吸着して、実装基板の電極形成面と半導体チップのバンプ形成面とが対向するように半導体チップを保持する。
次に、ボンディングツールで、実装基板に対して半導体チップを位置合わせして半導体チップを実装基板に近づけ、バンプと電極とを接触させて半導体チップを押圧する。
次に、ボンディングツールで、半導体チップに振動を印加する。
【００１６】
また、上記の課題を解決するため、本発明のボンディング方法は、電極が形成された実装基板の前記電極形成面の裏面を、前記実装基板の裏面と同一形状のステージ凹部底面を有するステージ凹部が設けられたボンディングステージで、前記実装基板の裏面が前記ステージ凹部底面に接するように吸着して保持する工程と、バンプが形成された半導体チップの前記バンプ形成面の裏面をボンディングツールで吸着して、前記実装基板の前記電極形成面と前記半導体チップの前記バンプ形成面とが対向するように前記半導体チップを保持する工程と、前記ボンディングツールで、前記実装基板に対して前記半導体チップを位置合わせして前記半導体チップを前記実装基板に近づけ、前記バンプと前記電極とを接触させて前記半導体チップを押圧する工程と、前記ボンディングツールで、前記半導体チップに振動を印加する工程とを有する。
【００１７】
上記の本発明のボンディング方法は、まず、電極が形成された実装基板の電極形成面の裏面を、実装基板の裏面と同一形状のステージ凹部底面を有するステージ凹部が設けられたボンディングステージで、実装基板の裏面がステージ凹部底面に接するように吸着して保持する。
一方、バンプが形成された半導体チップのバンプ形成面の裏面をボンディングツールで吸着して、実装基板の電極形成面と半導体チップのバンプ形成面とが対向するように半導体チップを保持する。
次に、ボンディングツールで、実装基板に対して半導体チップを位置合わせして半導体チップを実装基板に近づけ、バンプと電極とを接触させて半導体チップを押圧する。
次に、ボンディングツールで、半導体チップに振動を印加する。
【発明の効果】
【００１８】
本発明のボンディング方法によれば、ボンディングステージ及び／またはボンディングツールに、半導体チップ及び／または実装基板の位置決めをして保持するための凹部が設けられているので、半導体チップを他の半導体チップなどの実装基板にフリップチップでマウントしてボンディングする際に、半導体チップのバンプと実装基板の電極との位置合わせが容易となって、特に粗い位置合わせにかかる時間が短縮できる。
【００１９】
本発明のボンディング装置によれば、半導体チップ及び／または実装基板の位置決めをして保持するための凹部が設けられているボンディングステージ及び／またはボンディングツールを用いるので、半導体チップを他の半導体チップなどの実装基板にフリップチップでマウントしてボンディングする際に、半導体チップのバンプと実装基板の電極との位置合わせが容易となって、特に粗い位置合わせにかかる時間が短縮できる。
【発明を実施するための最良の形態】
【００２０】
以下に、本発明の実施の形態に係る半導体チップのボンディング装置及び方法について、図面を参照して説明する。
【００２１】
図１は本実施形態に係るボンディング装置及び方法でボンディングされた半導体装置の断面図である。
例えば、内蔵されている電子回路に接続してバンプ１６が形成された半導体チップ１５が、電極が形成された実装基板に実装された構成であるが、本実施形態においては実装基板として、例えば、絶縁膜２６を介して、内蔵された電子回路に接続してバンプ（電極）２７が形成された半導体チップ２５が用いられている。実装基板としての半導体チップを下半導体チップと称し、これに対して半導体チップ１５を上半導体チップと称する。
上記の上半導体チップ１５のバンプ１６と下半導体チップ２５のバンプ２７とが接合されており、上半導体チップ１５が下半導体チップ２５上にフリップチップでボンディングされている。
【００２２】
上記の上半導体チップ１５と下半導体チップ２５は、例えばそれぞれレーザ光を用いたダイシング方法で個片化されており、設計サイズに対して±１μｍ以内の外形精度でカットされたものである。
【００２３】
本実施形態のボンディング装置は、ボンディングステージとボンディングツールを有する。
図２（ａ）は、本実施形態に係るボンディング装置のボンディングツールの吸着面側の平面図であり、図２（ｂ）は図２（ａ）中のＡ−Ａ’における断面図である。
ボンディングツール１０は、吸引孔１４が設けられており、バンプ１６が形成された上半導体チップ１５のバンプ形成面の裏面を吸着する。ここで、ボンディングツール１０の吸着面に上半導体チップ１５の裏面と同一形状のツール凹部底面１２を有するツール凹部１１が設けられている。
ボンディングツール１０が上半導体チップ１５を保持する際には、上半導体チップ１５の裏面とツール凹部底面１２とが接するように吸着して保持する構成となっている。
【００２４】
ボンディングツール１０のツール凹部底面１２は、上半導体チップ１５の裏面と同一形状となっている。ここで、上記のように上半導体チップ１５は設計サイズに対して±１μｍ以内の幅をもって個片化されているので、例えば、ツール凹部底面１２が上半導体チップ１５の最大サイズに相当する形状となっていることをもって、上半導体チップ１５の裏面と同一形状となっているものとする。
ボンディングツール１０のツール凹部底面１２の作成精度自体にもある程度の幅があるので、ツール凹部底面１２が最小になってしまっても上半導体チップ１５の最大サイズを下回らないようにする。
【００２５】
また、ツール凹部１１のツール凹部側面１３は、ツール凹部底面１２に近づくにつれてツール凹部１１の開口面積が狭まるテーパ状に形成されているものとし、例えばツール凹部底面１２に対して４５°の角度の斜面とする。
【００２６】
図３（ａ）は、本実施形態に係るボンディング装置のボンディングステージの吸着面側の平面図であり、図３（ｂ）は図３（ａ）中のＡ−Ａ’における断面図である。
ボンディングステージ２０は、吸引孔２４が設けられており、バンプ２７が形成された下半導体チップ２５のバンプ２７の形成面の裏面を吸着する。ここで、ボンディングステージ２０の吸着面に下半導体チップ２５の裏面と同一形状のステージ凹部底面２２を有するステージ凹部２１が設けられている。
ボンディングステージ２０が下半導体チップ２５を保持する際には、下半導体チップ２５の裏面とステージ凹部底面２２とが接するように吸着して保持する構成となっている。
【００２７】
ボンディングステージ２０についても、ボンディングツール１０と同様に、ステージ凹部底面２２は、下半導体チップ２５の裏面と同一形状となっている。ここで、上記のように下半導体チップ２５は設計サイズに対して±１μｍ以内の幅をもって個片化されているので、例えば、ステージ凹部底面２２が下半導体チップ２５の最大サイズに相当する形状となっていることをもって、下半導体チップ２５の裏面と同一形状となっているものとし、ボンディングステージ２０のステージ凹部底面２２の作成精度自体にもある程度の幅があるので、ステージ凹部底面２２が最小になってしまっても下半導体チップ２５の最大サイズを下回らないようにする。
【００２８】
また、ステージ凹部２１のステージ凹部側面２３は、ステージ凹部底面２２に近づくにつれてステージ凹部２１の開口面積が狭まるテーパ状に形成されているものとし、例えばステージ凹部底面２２に対して４５°の角度の斜面とする。
【００２９】
図４は、本実施形態に係るボンディング装置の断面図である。
ボンディングツール１０は、上半導体チップ１５の裏面とツール凹部底面１２とが接するように吸着して保持する。
一方、ボンディングステージ２０は、下半導体チップ２５の裏面とステージ凹部底面２２とが接するように吸着して保持する。
下半導体チップ２５のバンプ２７形成面と上半導体チップ１５のバンプ１６形成面とが対向するように、ボンディングツール１０によって上半導体チップ１５が保持される。
【００３０】
図５は、本実施形態に係るボンディング装置のボンディング時の断面図である。
上記の構成のボンディングステージ２０に対するボンディングツール１０の動作により、下半導体チップ２５に対して上半導体チップ１５を位置合わせして上半導体チップ１５を下半導体チップ２５に近づけ、上半導体チップ１５のバンプ１６と下半導体チップ２５のバンプ２７とを接触させて、上半導体チップ１５を押圧する。
【００３１】
ここで、上記の下半導体チップ２５に対する上半導体チップ１５の位置合わせは、画像処理などを用いながら、まず、下半導体チップ２５のバンプ２７と上半導体チップ１５のバンプ１６の粗い位置合わせを行ってから、続けて微調整を行い、所定の範囲内に位置合わせを行う。
本実施形態においては、ボンディングツールには、上半導体チップの裏面と同一形状の底面を有するツール凹部が形成されているので、吸着した時点でボンディングツールに対する上半導体チップの位置が一定になり、一方、ボンディングステージには下半導体チップの裏面と同一形状の底面を有するステージ凹部が形成されているので、吸着した時点でボンディングステージに対する下半導体チップの位置が一定になり、ボンディングステージやボンディングツールが上下の半導体チップを吸着する位置のバラツキが非常に小さくなり、粗い位置あわせにかかる時間が短縮でき、これによってボンディング工程時間を短縮することができる。
【００３２】
さらに、上記のように上半導体チップ１５のバンプ１６と下半導体チップ２５のバンプ２７とを接触させて、上半導体チップ１５を押圧した状態で、ボンディングツール１０により上半導体チップ１５に振動Ｖを印加する。
【００３３】
例えば、上半導体チップ１５のバンプ１６と下半導体チップ２５のバンプ２７を接触させる際に、ボンディングツールで上バンプ付チップをスクラブすることで、バンプ表面の酸化膜を破って接触させ、リフロー時にフラックスなしでも接合させることができる。
リフローは、上記のスクラブと同時に行ってローカルリフローとしてもよく、あるいはスクラブにより上半導体チップ１５のバンプ１６と下半導体チップ２５のバンプ２７を仮付けし、一斉リフローで接合することもできる。
【００３４】
あるいは、上半導体チップ１５のバンプ１６と下半導体チップ２５のバンプ２７を接触させる際に、ボンディングツールにより上バンプ付チップに超音波振動を印加することで、リフローなしで超音波接合によりバンプ同士を接合することができる。
【００３５】
上記の構造のボンディングツール及びボンディングステージを備えたボンディング装置での振動の印加において、ボンディングツール及びボンディングステージに形成された凹部の底面と側面の角部が、上下の半導体チップのバンプ形成面の裏面側の角に引っかかるため、ボンディングツール及びボンディングステージ上で上下の半導体チップが滑ってしまうことがなく、エネルギーのロスを低減して振動を効率的にバンプ間の接合部分に伝達することができる。
例えば、上下の半導体チップが設計サイズに対して±１μｍ以内の外形精度でカットされたものであり、ボンディングツール及びボンディングステージに形成された凹部の底面が上下の半導体チップの最大サイズに相当する形状となっている場合、ボンディングツールを２μｍ以上のストロークで振動させたときに、ボンディングツールの振動数を減衰させることなく、上下の半導体チップに振動を伝達でき、例えば確実なフラックスレス接続や振動数の調整を安定化できる。
【００３６】
上記のように、本実施形態に係る半導体チップのボンディング装置によれば、半導体チップ及び／または実装基板の位置決めをして保持するための凹部が設けられているボンディングステージ及び／またはボンディングツールを用いるので、半導体チップを他の半導体チップなどの実装基板にフリップチップでマウントしてボンディングする際に、半導体チップのバンプと実装基板の電極との位置合わせが容易となって、特に粗い位置合わせにかかる時間が短縮できる。
【００３７】
上記の半導体チップのボンディング装置を用いて行うボンディング方法について説明する。
まず、図４に示すように、バンプ２７が形成された下半導体チップ２５のバンプ２７の形成面の裏面を、下半導体チップ２５の裏面と同一形状のステージ凹部底面２２を有するステージ凹部２１が設けられたボンディングステージ２０で、下半導体チップ２５の裏面がステージ凹部底面２２に接するように吸着して保持する。
一方、バンプ１６が形成された上半導体チップ１５のバンプ１６の形成面の裏面を、上半導体チップ１５の裏面と同一形状のツール凹部底面１２を有するツール凹部１１が設けられたボンディングツール１０で、上半導体チップ１５の裏面がツール凹部底面１２に接するように吸着する。
上記のようにして、下半導体チップ２５のバンプ２７の形成面と上半導体チップ１５のバンプ１６の形成面とが対向するように、上半導体チップ１５を保持する。
【００３８】
上記のボンディングツール及びボンディングステージとして、例えば、ツール凹部及びステージ凹部の凹部側面が、底面に近づくにつれてツール凹部及びステージ凹部の開口面積が狭まるテーパ状に形成されている形状とする。
【００３９】
次に、図５に示すように、ボンディングツール１０で、下半導体チップ２５に対して上半導体チップ１５を位置合わせして上半導体チップ１５を下半導体チップ２５に近づけ、上半導体チップ１５のバンプ１６と下半導体チップ２５のバンプ２７を接触させて、上半導体チップ１５を押圧する。
次に、ボンディングツール１０で、上半導体チップ１５に振動を印加する。
例えば、ボンディングツール１０が、上半導体チップ１５のバンプ１６と下半導体チップ２５のバンプ２７をスクラブして、上半導体チップ１５のバンプ１６及び／または下半導体チップ２５のバンプ２７バンプの表面に形成された酸化膜を破るように、上半導体チップ１５に振動を印加する。これと同時に、あるいはこれによって仮付けして改めてリフロー処理を行うことで、上半導体チップ１５のバンプ１６と下半導体チップ２５のバンプ２７を接合できる。
あるいは、ボンディングツール１０が、上半導体チップ１５のバンプ１６と下半導体チップ２５のバンプ２７を超音波接合するように、上半導体チップ１５に超音波振動を印加する。
【００４０】
上記のボンディングツールによって振動を印加する際には、ボンディングツール及びボンディングステージに形成された凹部の底面と側面の角部が上下の半導体チップのバンプ形成面の裏面側の角に引っかかるため、ボンディングツール及びボンディングステージ上で上下の半導体チップが滑ってしまうことがなく、エネルギーのロスを低減して振動を効率的にバンプ間の接合部分に伝達することができる。
【００４１】
本実施形態に係る半導体チップのボンディング装置及び方法では、例えば、ハンダバンプや金あるいは銅などのスタッドバンプを有する半導体チップをボンディングすることができる。
【００４２】
本発明は、上記の実施形態の説明に限定されない。
例えば、実装基板としては上記の実施形態では下半導体チップを用いているが、半導体チップの他、樹脂基板やセラミック基板などの通常の実装基板や中間基板などを用いることができ、これら実装基板に形成された電極と半導体チップとのバンプをフリップチップで接合することができる。
また、実施形態においてはボンディングツールとボンディングステージの両者に凹部を設けているが、本発明としてはこれに限らず、ボンディングツールとボンディングステージのいずれか一方に凹部をもうけた場合にもおいても相当の効果が得ることができる。また、ボンディングツールとボンディングステージに形成される凹部としては、この代わりに半導体チップや実装基板の４つの角部のみ、あるいは四辺のみを係止する構造としても、実質的に凹部が形成されているのと同様の効果が得られる。
その他、本発明の要旨を逸脱しない範囲で、種々の変更が可能である。
【図面の簡単な説明】
【００４３】
【図１】図１は本発明の実施形態に係るボンディング装置及び方法でボンディングされた半導体装置の断面図である。
【図２】図２（ａ）は、本発明の実施形態に係るボンディング装置のボンディングツールの吸着面側の平面図であり、図２（ｂ）は図２（ａ）中のＡ−Ａ’における断面図である。
【図３】図３（ａ）は、本発明の実施形態に係るボンディング装置のボンディングステージの吸着面側の平面図であり、図３（ｂ）は図３（ａ）中のＡ−Ａ’における断面図である。
【図４】図４は、本発明の実施形態に係るボンディング装置の断面図である。
【図５】図５は、本発明の実施形態に係るボンディング装置のボンディング時の断面図である。
【符号の説明】
【００４４】
１０…ボンディングツール、１１…ツール凹部、１２…ツール凹部底面、１３…ツール凹部側面、１４…吸引孔、１５…下半導体チップ、１６…バンプ、２０…ボンディングステージ、２１…ステージ凹部、２２…ステージ凹部底面、２３…ステージ凹部側面、２４…吸引孔、２５…下半導体チップ、２６…絶縁膜、２７…バンプ
【図１】
0004687290.tif 000002
【図２】
0004687290.tif 000003
【図３】
0004687290.tif 000004
【図４】
0004687290.tif 000005
【図５】
0004687290.tif 000006